(57)【要約】【課題】構造が簡単で安価であり、所望する位置でスムーズに円板を回転させることができる円板回転装置を提供する。【解決手段】円板回転装置１の装置本体２には、円板Ｃを回転させる回転体４０と操作手段５０が設けられている。回転体４０は、装置本体２に回動自在且つ上下方向に移動自在に設けられ、さらに第１の弾性部材６０によって一方の回転方向に付勢され、下面４１に円板Ｃの周縁Ｃ１を係合する係合溝４３が形成されている。装置本体２に形成された係止爪１７，１７は、第１の弾性部材６０の弾性により一方に回転する時は係止して円板Ｃの回転を阻止するようになっている。操作手段５０は、回転体４０を下方に移動させ、円板Ｃを係止爪１７，１７から外して係止を解除させ、円板Ｃを第１の弾性部材６０の弾性により立たせた状態で回転させるようになっている。【選択図】        図５
2004216054.tif 000002
【特許請求の範囲】
【請求項１】
装置本体には、円板を回転させる回転体と操作手段が設けられており、
回転体は、装置本体に回動自在且つ上下方向に移動自在に設けられ、さらに第１の弾性部材によって一方の回転方向に付勢されるようになっており、下面に円板の周縁を係合する係合溝が形成され、
装置本体には、円板の一側を係止する係止爪が形成され、
この係止爪は、係合溝に周縁が係合された円板を、第１の弾性部材の弾性に抗して他方に回転させる時は係止せず、第１の弾性部材の弾性により一方に回転する時は係止して円板の回転を阻止するようになっており、
前記操作手段は、回転体を下方に移動させ、円板を係止爪から外して係止を解除させ、円板を第１の弾性部材の弾性により立たせた状態で回転させるようになっていることを特徴とする円板回転装置。
【請求項２】
操作手段は、第２の弾性部材により上方に付勢されていることを特徴とする請求項１記載の円板回転装置。
【発明の詳細な説明】
【０００１】
【発明の属する技術分野】
本願発明は、コイン、硬貨、メダル等の円板を立たせた状態で回転させる円板回転装置に関する。
【０００２】
【従来の技術】
従来の円板回転装置は、装置本体の発射口に円板を保持させ、係止部を操作すると、弾き部が円板の一側を前方に弾き、円板を立たせた状態で、円板の直径方向を回転中心として回転させるようになっている（例えば、特許文献１）。
【０００３】
【特許文献１】
特許第３１４９３６０号公報
【０００４】
【発明が解決しようとする課題】
上記従来の円板回転装置は、弾き部が円板の一側を前方に弾いて、円板を立たせた状態で回転させるようになっているため、回転させる力が弱く、すぐに止まってしまうという問題点があった。また、回転中心線と略直角の方向である、前方に弾き出すため、所望する位置で回転させるのが難しく、また前方に弾くと、円板の回転に負荷がかかり、円板の直径方向を回転中心として回転せず、円周方向で転がってしまうという問題点があった。また、円板を保持するのが突起であって、円板を確実に保持することが出来ず、発射口から落ちてしまうことがあるという問題点があった。
【０００５】
本願発明は、上記問題点に鑑み発明されたものであって、構造が簡単で安価であり、円板を回転させる力が強く、回転中心線上の下方に落とすので、所望する位置で回転させることができ、しかも円板を前方に弾くことがないので円板の回転に負荷があまりかからず、円板をスムーズに回転させることができ、円板を確実に保持することが出来る円板回転装置を提供することを目的とする。
【０００６】
【課題を解決するための手段】
本願請求項１記載の円板回転装置は、上記目的を達成するため、装置本体には、円板を回転させる回転体と操作手段が設けられており、回転体は、装置本体に回動自在且つ上下方向に移動自在に設けられ、さらに第１の弾性部材によって一方の回転方向に付勢されるようになっており、下面に円板の周縁を係合する係合溝が形成され、装置本体には、円板の一側を係止する係止爪が形成され、この係止爪は、係合溝に周縁が係合された円板を、第１の弾性部材の弾性に抗して他方に回転させる時は係止せず、第１の弾性部材の弾性により一方に回転する時は係止して円板の回転を阻止するようになっており、前記操作手段は、回転体を下方に移動させ、円板を係止爪から外して係止を解除させ、円板を第１の弾性部材の弾性により立たせた状態で回転させるようになっている。
【０００７】
本願請求項２記載の円板回転装置は、上記目的を達成するため、上記操作手段は、第２の弾性部材により上方に付勢されている。
【０００８】
【発明の実施の形態】
本願発明に係る円板回転装置の実施の形態を、図１乃至図５に基づいて説明する。図１は、本願発明に係る円板回転装置の一つの実施の形態を示す全体斜視図である。図２は、図１の円板回転装置を下から視た全体斜視図である。図３は、図１の円板回転装置の分解斜視図である。図４は、図１の円板回転装置の側面断面図である。図５は、図１の円板回転装置の使用状態を示す側面断面図である。
【０００９】
円板回転装置１は、装置本体２を有する。装置本体２には、円板Ｃを回転させる回転体４０と操作手段５０が設けられている。回転体４０は、装置本体２に回動自在且つ上下方向に移動自在に設けられ、さらに第１の弾性部材６０によって一方の回転方向（図２のＡ方向）に付勢されるようになっており、下面４１に円板Ｃの周縁Ｃ１を係合する係合溝４３が形成されている。
【００１０】
装置本体２には、円板Ｃの一側Ｃ２を係止する係止爪１７，１７が形成され、この係止爪１７，１７は、係合溝４３に周縁Ｃ１が係合された円板Ｃを、第１の弾性部材６０の弾性に抗して他方（図２のＢ方向）に回転させる時は係止せず、第１の弾性部材６０の弾性により一方（図２のＡ方向）に回転する時は係止して円板Ｃの回転を阻止するようになっている。
【００１１】
前記操作手段５０は、回転体４０を下方に移動させ、円板Ｃを係止爪１７，１７から外して係止を解除させ、円板Ｃを第１の弾性部材６０の弾性により立たせた状態で回転させるようになっている。なお、上記操作手段５０は、第２の弾性部材６５により上方に付勢されているようにしても良い。
【００１２】
さらに円板回転装置について詳細に説明する。円板回転装置１は、装置本体２を有する。装置本体２は、第１のケース３と第２のケース５とからなる。第１のケース３は、水平断面が略円形の収納部７が形成された円筒状の収納体６と、収納体６の下部周面に形成された当接壁８と、当接壁８の下面８ａ周縁に形成された取付壁９とからなる。取付壁９は、環状に形成され、上部に係合突起１０，１０が対向して設けられ、さらに中間部に係止孔１１，１１が対向して設けられている。
【００１３】
また、円筒状の収納体６は、上部に上壁２０が形成され、上壁２０の略中央部にガイド孔２１が形成されている。また、上壁２０の裏面であって、ガイド孔２１の周縁には、ガイド突起２２が延設されている。また、収納体６は、握りやすくするため、周面に多面体２３が形成され、さらに両側に対向して指掛けアーム２５，２５が設けられている。
【００１４】
第２のケース５は、リング状に形成され、上端面１３に前記取付壁９に嵌合する嵌合壁１２が形成されている。嵌合壁１２には、前記取付壁９の係止孔１１，１１に着脱自在に係止される係止突起１５，１５が形成されている。また、第２のケース５は、略Ｌ字形の溝１６によって、係止爪１７が形成されている。
【００１５】
係止爪１７は、テーパ面１８と係止面１９を有し、係止面１９は、第２のケース５の内側に突出している。第２のケース５は、嵌合壁１２を第１のケース３の取付壁９に嵌合することによって、取付壁９の係止孔１１，１１に係止突起１５，１５が係止され、第１のケース３に着脱自在に取り付けられる。
【００１６】
第１のケース３の収納部７内には、ガイド部材３０が設けられている。ガイド部材３０は、案内筒３１と、案内筒３１の下端周縁に設けられたフランジ３２とからなる。案内筒３１の上部には、上下方向に伸びる案内溝３３，３３が対向して形成されている。フランジ３２の周縁には、対向して係合凹部３５，３５が形成されている。
【００１７】
ガイド部材３０は、フランジ３２の周縁に形成された係合凹部３５，３５が、取付壁９に形成された係合突起１０，１０に係合して回動不能となって、フランジ３２が第１のケース３の当接壁８の下面８ａと第２のケース５の嵌合壁１２の上端３６に挟持され、図４に示すように、第１のケース３の収納部７内に設けられている。
【００１８】
回転体４０は、第２のケース５内に設けられ、円板状に形成され、下面４１に矩形体状の突起４２が設けられている。突起４２には、係合溝４３が形成されている。係合溝４３は、後記円板Ｃの厚みと略同じの幅であって、深さが後記円板Ｃの周縁Ｃ１と略同じ曲線となっている。なお、係合溝４３は、円板Ｃを係合できれば良いので、深さが一定であっても構わない。
【００１９】
回転体４０の上面４５の略中央には、案内部４６が形成され、案内部４６の上端に、案内部４６と略同じ軸心となる支軸４７が突設されている。案内部４６は、前記ガイド部材３０の案内筒３１内に嵌挿され、回動自在且つ上下方向に案内されるようになっている。
【００２０】
操作手段５０は、円筒キャップ状に形成され、下端両側に対向して摺動アーム５１，５２が形成されている。操作手段５０は、第１のケース３のガイド孔２１内に摺動自在に嵌挿されている。操作手段５０は、上端５３が第１のケース３の上壁２１から突出し、摺動アーム５１，５２がガイド部材３０の案内溝３３，３３に摺動自在に係合して、軸心回りの回転が規制され、上下方向に摺動できるようになっている。操作手段５０の下面５５略中央には、軸受け穴５６が形成され、この軸受け穴５６に前記回転体４０の支軸４７が回動自在に差し込まれている。
【００２１】
第１の弾性部材６０は、コイルスプリング状に形成され、支軸４７に巻装され、一端６１が支軸４７の下端に形成された孔４８に差し込まれて固定され、他端６２が摺動アーム５１に形成された孔５７に差し込まれて固定され、支軸４７、即ち回転体４０を一方（図２のＡ方向）に付勢している。第２の弾性部材６５は、コイルスプリング状に形成され、案内筒３１に巻装され、フランジ３２と摺動アーム５１，５２間に配設され、操作手段５０を上方に付勢している。
【００２２】
円板回転装置１は、上記構成を有し、初期状態においては、第２の弾性部材６５によって、操作手段５０が上方に付勢されて、操作手段５０の上端５３が第１のケース３の上壁２０から突出している。さらに、操作手段５０の摺動アーム５１に連係された第１の弾性部材６０により、支軸４７を介して回転体４０が第２のケース５内に収納されている。
【００２３】
コイン、硬貨、メダル等の円板Ｃを摘み、円板Ｃの周縁Ｃ１を、図２，４に示すように、回転体４０の係合溝４３に係合するようにして押し込み、円板ＣをＢ方向に回転させる。円板Ｃは、これの周縁Ｃ２が、係止爪１７のテーパ面１８と摺接して、係止爪１７を外方に押し出しながら、回転する。円板ＣのＢ方向の回転は、回転体４０、支軸４７を介して、第１の弾性部材６０の弾性を蓄えることになる。なお、Ｂ方向は、コインＣを回転させることができる方向であり、間違ってコインＣをＡ方向に回転させないようにするため、第２のケース５（又は第１のケース３）にコインＣの回転できる方向を示す矢印６６を形成しておいても良い。
【００２４】
円板Ｃは、これを離すと、第１の弾性部材６０の弾性により、Ａ方向に回転させられようとするが、周縁Ｃ２が係止爪１７の係止面１９に係止されるため、回転することができず、周縁Ｃ２が係止面１９に圧接した状態で、円板回転装置１に取り付けられる。
【００２５】
図１に示すように、親指と中指を指掛けアーム２５，２５に引っ掛け、人差し指で操作手段５０の上端５３を、第２の弾性部材６５の弾性に抗して押圧すると、支軸４７、回転体４０が押し下げられ、回転体４０に取り付けられている円板Ｃの周縁Ｃ２両側が係止爪１７から外れ、係止が解除される。回転体４０は、第１の弾性部材６０の弾性により、Ａ方向に回転し、これに取り付けられている円板ＣをＡ方向に回転させる。円板Ｃは、自重によりＡ方向に回転しながら落下し、接地面上において、直径方向を回転中心として回転する。操作手段５０の押圧を解除すると、第２の弾性部材６５により、初期状態に復帰する。
【００２６】
円板回転装置１は、円板Ｃの一側を前方に弾いて円板Ｃを回転させるのではなく、回転体４０の係合溝４３に円板Ｃの周縁Ｃ１を保持させ、回転体４０の回転によって円板Ｃを立たせた状態で回転させるので、円板Ｃを回転させる力が強く、長時間円板Ｃを回転させることができる。また、円板Ｃの回転中心方向（直径方向）に落とすので、前方に弾き出して回転させるのと異なり、所望する位置で回転させることができる。しかも、前方に弾いて円板Ｃを回転させるのではないので、円板Ｃの回転にあまり負荷がかからず、円板Ｃをスムーズに回転させ、円板Ｃを円周方向で転がしてしまうことがない。また、係合溝４３に係合させた円板Ｃを、第１の弾性部材６０によって係止爪１７に圧接させて、円板Ｃを保持するので、円板Ｃを確実に保持することができる。
【００２７】
【発明の効果】
以上説明してきたように、本願請求項１、２記載の円板回転装置は、構造が簡単で安価であり、円板の一側を前方に弾いて円板を回転させるのではなく、回転体の係合溝に円板の周縁を係合し、回転体の回転によって円板を立たせた状態で回転させるので、円板を回転させる力が強く、長時間円板を回転させることができるという効果がある。また、円板の回転中心方向（直径方向）に落とすので、前方に弾き出して回転させるのと異なり、所望する位置で回転させることができるという効果がある。しかも、前方に弾いて円板を回転させるのではないので、円板の回転にあまり負荷がかからず、円板をスムーズに回転させ、円板を円周方向で転がしてしまうことがないという効果がある。また、係合溝に係合させた円板を、第１の弾性部材によって係止爪に圧接させて、円板を保持するので、円板を確実に保持することができるという効果がある。
【００２８】
本願請求項２記載の円板回転装置は、第２の弾性部材によって操作手段が上方に付勢されているので、操作手段を押し下げるだけで、円板を回転させながら落下させ、操作手段の操作を解除すると、第２の弾性部材によってスムーズに初期状態に復帰させることができるという効果がある。
【図面の簡単な説明】
【図１】本願発明に係る円板回転装置の一つの実施の形態を示す全体斜視図である。
【図２】図１の円板回転装置を下から視た全体斜視図である。
【図３】図１の円板回転装置の分解斜視図である。
【図４】図１の円板回転装置の側面断面図である。
【図５】図１の円板回転装置の使用状態を示す側面断面図である。
【符号の説明】
Ｃ  円板
Ｃ１  周縁
Ｃ２  周縁（一側）
１  円板回転装置
２  装置本体
３  第１のケース
５  第２のケース
６  収納体
７  収納部
８  当接壁
８ａ  下面
９  取付壁
１０  係合突起
１１  係止孔
１２  嵌合壁
１３  上端面
１５  係止突起
１６  溝
１７  係止爪
１８  テーパ面
１９  係止面
２０  上壁
２１  ガイド孔
２２  ガイド突起
２３  多面体
２５  指掛けアーム
３０  ガイド部材
３１  案内筒
３２  フランジ
３３  案内溝
３５  係合凹部
３６  上端
４０  回転体
４１  下面
４２  突起
４３  係合溝
４５  上面
４６  案内部
４７  支軸
４８  孔
５０  操作手段
５１  摺動アーム
５２  摺動アーム
５３  上端
５５  下面
５６  軸受け穴
５７  孔
６０  第１の弾性部材
６１  一端
６２  他端
６５  第２の弾性部材
６６  矢印
【図１】
2004216054.tif 000003
【図２】
2004216054.tif 000004
【図３】
2004216054.tif 000005
【図４】
2004216054.tif 000006
【図５】
2004216054.tif 000007